(57)【要約】【課題】  即座に視聴したい番組を探すことができる放送受信システム、放送受信装置及び表示装置を提供する。【解決手段】  放送受信装置２により選択されるチャンネルの映像情報と、映像情報から生成された画像情報とを受信し、ユーザからチャンネルの切り替え指示が入力された場合、表示装置３は放送受信装置２により受信されるチャンネルの画像を一覧表示する。【選択図】  図１
2007028585.tif 000002
【特許請求の範囲】
【請求項１】
放送信号を受信する放送受信装置と上記放送信号に応じた映像を表示する表示装置とが伝送路を介して接続される放送受信システムにおいて、
上記放送受信装置は、
受信した放送信号から上記表示装置により指示されたチャンネルを選択する第１の選局手段と、
受信した放送信号から複数のチャンネルを順次繰り返しながら選択する第２の選局手段と、
上記第２の選局手段により選択された各チャンネルの映像情報からチャンネル毎に区分された一覧画像の画像情報の生成及び更新を行う一覧画像生成手段と、
上記伝送路を介して上記第１の選局手段により選択されたチャンネルの映像情報及び／又は上記一覧画像生成手段により生成された一覧画像の画像情報を上記表示装置に送信するとともに、上記表示装置と通信する通信手段とを備え、
上記表示装置は、
上記伝送路を介して上記映像情報や画像情報を上記放送受信装置から受信するとともに、上記放送受信装置と通信する通信手段と、
上記通信手段により受信した上記第１の選局手段により選択されたチャンネルの映像情報に応じた映像を表示する表示手段と、
上記チャンネルの切り替え指示を入力する入力手段とを備え、
上記表示手段は、上記チャンネルの切り替え時には、上記通信手段により受信した上記一覧画像生成手段により生成された画像情報に応じたチャンネル毎に区分された一覧画像を表示し、上記入力手段により上記一覧画像から選択されたチャンネルへの切り替えを指示する情報を上記伝送路を介して上記放送受信装置に送信し、上記第１の選局手段により受信するチャンネルの切り替えを行う
ことを特徴とする放送受信システム。
【請求項２】
上記一覧画像は、上記第２の選局手段によってチャンネルが選択される度に、更新されることを特徴とする請求項１記載の放送受信システム。
【請求項３】
上記表示手段は、上記一覧画像生成手段により生成された画像情報に応じたチャンネル毎に区分された一覧画像をチャンネル情報とともに表示する請求項１記載の放送受信システム。
【請求項４】
放送信号を受信する放送受信装置と上記放送信号に応じた映像を表示する表示装置とが伝送路を介して接続される放送受信システムにおいて、
上記放送受信装置は、
受信した放送信号から上記表示装置により指示されたチャンネルを選択する第１の選局手段と、
受信した放送信号から複数のチャンネルを順次繰り返しながら選択する第２の選局手段と、
上記伝送路を介して上記第１の選局手段により選択されたチャンネルの映像情報及び／又は上記第２の選局手段により選択されたチャンネルの映像情報を上記表示装置に送信するとともに、上記表示装置と通信する通信手段とを備え、
上記表示装置は、
上記伝送路を介して上記映像情報を上記放送受信装置から受信するとともに、上記放送受信装置と通信する通信手段と、
上記通信手段により受信した上記第１の選局手段により選択されたチャンネルの映像情報に応じた映像を表示する表示手段と、
上記通信手段により受信した上記第２の選局手段により選択された各チャンネルの映像情報からチャンネル毎に区分された一覧画像の画像情報の生成及び更新を行う一覧画像生成手段と、
上記チャンネルの切り替え指示を入力する入力手段とを備え、
上記表示手段は、上記チャンネルの切り替え時には、上記一覧画像生成手段により生成された画像情報に基づいてチャンネル毎に区分された一覧画像を表示し、上記入力手段により上記一覧画像から選択されたチャンネルへの切り替えを指示する情報を上記伝送路を介して上記放送受信装置に送信し、上記第１の選局手段により受信するチャンネルの切り替えを行う
ことを特徴とする放送受信システム。
【請求項５】
上記一覧画像の画像情報は、上記第２の選局手段によってチャンネルが選択される度に、更新されることを特徴とする請求項４記載の放送受信システム。
【請求項６】
上記表示手段は、上記一覧画像生成手段により生成された画像情報に応じたチャンネル毎に区分された一覧画像をチャンネル情報とともに表示する請求項４記載の放送受信システム。
【請求項７】
放送信号に応じた映像を表示する表示装置と伝送路を介して接続され、上記放送信号を受信する放送受信装置において、
受信した放送信号から上記表示装置により指示されたチャンネルを選択する第１の選局手段と、
受信した放送信号から複数のチャンネルを順次繰り返しながら選択する第２の選局手段と、
上記第２の選局手段により選択された各チャンネルの映像情報からチャンネル毎に区分された一覧画像の画像情報の生成及び更新を行う一覧画像生成手段と、
上記伝送路を介して上記第１の選局手段により選択されたチャンネルの映像情報及び／又は上記一覧画像生成手段により生成された一覧画像の画像情報を上記表示装置に送信するとともに、上記表示装置と通信する通信手段と
を備えることを特徴とする放送受信装置。
【請求項８】
上記一覧画像の画像情報は、上記第２の選局手段により選択される度に、更新されることを特徴とする請求項７記載の放送受信装置。
【請求項９】
放送信号に応じた映像を表示する表示装置と伝送路を介して接続され、上記放送信号を受信する放送受信装置において、
受信した放送信号から上記表示装置により指示されたチャンネルを選択する第１の選局手段と、
受信した放送信号から複数のチャンネルを順次繰り返しながら選択する第２の選局手段と、
上記伝送路を介して上記第１の選局手段により選択されたチャンネルの映像情報及び／又は上記第２の選局手段により選択されたチャンネルの映像情報を上記表示装置に送信するとともに、上記表示装置と通信する通信手段と
を備えることを特徴とする放送受信装置。
【請求項１０】
指示されたチャンネルの映像情報を第１の選局手段により受信した放送信号から選択するとともに、第２の選局手段により受信した放送信号から複数のチャンネルを順次繰り返しながら選択して、各チャンネルの映像情報からチャンネル毎に区分された一覧画像の画像情報を生成し、上記第１の選局手段により選択されたチャンネルの映像情報及び／又は上記第２の選局手段により選択された各チャンネルの映像情報から生成した一覧画像の画像情報を伝送路を介して送信する放送受信装置と上記伝送路を介して接続され、上記放送信号に応じた映像を表示する表示装置であって、
上記伝送路を介して上記映像情報と画像情報を上記放送受信装置から受信するとともに、上記放送受信装置と通信する通信手段と、
上記通信手段により受信した上記第１の選局手段により選択されたチャンネルの映像情報に応じた映像を表示する表示手段と、
上記チャンネルの切り替え指示を入力する入力手段とを備え、
上記表示手段は、上記チャンネルの切り替え時には、上記一覧画像生成手段により生成された画像情報に基づいてチャンネル毎に区分された一覧画像を表示し、上記入力手段により上記一覧画像から選択されたチャンネルへの切り替えを指示する情報を上記伝送路を介して上記放送受信装置に送信する
ことを特徴とする表示装置。
【請求項１１】
受信した放送信号から指示されたチャンネルを第１の選局手段により選択し、受信した放送信号から第２の選局手段により複数のチャンネルを順次繰り返しながら選択し、上記第１の選局手段により選択されたチャンネルの映像情報及び／又は上記第２の選局手段により選択されたチャンネルの映像情報を伝送路を介して送信する放送受信装置と上記伝送路を介して接続され、上記放送信号に応じた映像を表示する表示装置であって、
上記伝送路を介して上記映像情報を上記放送受信装置から受信するとともに、上記放送受信装置と通信する通信手段と、
上記通信手段により受信した上記第１の選局手段により選択されたチャンネルの映像情報に応じた映像を表示する表示手段と、
上記通信手段により受信した上記第２の選局手段により選択された各チャンネルの映像情報からチャンネル毎に区分された一覧画像の画像情報の生成及び更新を行う一覧画像生成手段と、
上記チャンネルの切り替え指示を入力する入力手段とを備え、
上記表示手段は、上記チャンネルの切り替え時には、上記一覧画像生成手段により生成された画像情報に基づいてチャンネル毎に区分された一覧画像を表示し、上記入力手段により上記一覧画像から選択されたチャンネルへの切り替えを指示する情報を上記伝送路を介して上記放送受信装置に送信する
ことを特徴とする表示装置。
【請求項１２】
上記一覧画像は、上記第２の選局手段により選択される度に、更新されることを特徴とする請求項１１記載の表示装置。
【請求項１３】
上記表示手段は、上記一覧画像生成手段により生成された画像情報に応じたチャンネル毎に区分された一覧画像をチャンネル情報とともに表示する請求項１１記載の表示装置。
【請求項１４】
放送信号を受信する放送受信装置と上記放送信号に応じた映像を表示する表示装置とが伝送路を介して接続される放送受信システムにおける放送受信方法であって、
上記放送受信装置は、上記表示装置と通信して指示されたチャンネルの映像情報を第１の選局手段により受信した放送信号から選択するとともに、第２の選局手段により受信した放送信号から複数のチャンネルを順次繰り返しながら選択して、各チャンネルの映像情報からチャンネル毎に区分された一覧画像を生成し、上記第１の選局手段により選択されたチャンネルの映像情報及び／又は上記第２の選局手段により選択された各チャンネルの映像情報から生成した一覧画像の画像情報を上記伝送路を介して上記表示装置に送信し、
上記表示装置は、上記放送受信装置と通信して指示したチャンネルの映像情報を上記伝送路を介して受信し、受信したチャンネルの映像情報に応じた映像を表示手段により表示し、上記チャンネルの切り替え時には、上記伝送路を介して受信した上記各チャンネルの映像情報から生成した画像情報に応じたチャンネル毎に区分された一覧画像を上記表示手段により表示し、上記一覧画像から選択されたチャンネルへの切り替えを指示する情報を上記伝送路を介して上記放送受信装置に送信し、上記第１の選局手段により受信するチャンネルの切り替えを行う
ことを特徴する放送受信方法。
【請求項１５】
放送信号を受信する放送受信装置と上記放送信号に応じた映像を表示する表示装置とが伝送路を介して接続される放送受信システムにおける放送受信方法であって、
上記放送受信装置は、受信した放送信号から上記表示装置と通信して指示されたチャンネルを第１の選局手段により選択し、受信した放送信号から第２の選局手段により複数のチャンネルを順次繰り返しながら選択し、上記第１の選局手段により選択されたチャンネルの映像情報及び／又は上記第２の選局手段により選択されたチャンネルの映像情報を上記伝送路を介して上記表示装置に送信し、
上記表示装置は、上記伝送路を介して上記放送受信装置と通信するとともに上記映像情報を上記放送受信装置から受信し、受信した上記第１の選局手段により選択されたチャンネルの映像情報に応じた映像を表示手段により表示するとともに、受信した上記第２の選局手段により選択された各チャンネルの映像情報からチャンネル毎に区分された一覧画像の画像情報の生成及び更新を行い、上記チャンネルの切り替え指示時には、上記各チャンネルの映像情報から生成した画像情報に応じたチャンネル毎に区分された一覧画像を上記表示手段により表示し、上記一覧画像から選択されたチャンネルへの切り替えを指示する情報を上記伝送路を介して上記放送受信装置に送信し、上記第１の選局手段により受信するチャンネルの切り替えを行う
ことを特徴する放送受信方法。
【発明の詳細な説明】
【技術分野】
【０００１】
本発明は、例えば、テレビジョン放送等の放送信号を放送受信装置で受信し、無線又は有線による通信回線を介して放送信号を表示装置に送信し、表示装置にてこの放送信号に応じた映像の表示が可能な放送受信システム、放送受信装置及び表示装置並びに放送受信方法に関する。
【背景技術】
【０００２】
近年、ワイヤレス化によって、放送信号を受信する放送受信装置と分離した、持ち運び可能な表示装置が提供されている。また、このような表示装置をインターネット等の通信回線に接続することにより、外出先でも自宅で受信した放送を視聴可能としたシステムがある（例えば、特許文献１参照。）。これにより、例えば、日本の放送を海外でも視聴することが可能となる。
【０００３】
【特許文献１】特開２００５−３９７８１号公報
【発明の開示】
【発明が解決しようとする課題】
【０００４】
上述のようなシステムでは、インターネット等の通信回線を介して放送を視聴する場合、動画の符号化・復号等により、画面に表示される映像に遅延が生じるため、チャンネルを切り替えても、そのチャンネルの映像をすぐに表示することができない。したがって、ユーザは内容を確認しながらチャンネルを切り替え、視聴したい番組を探す（ザッピング）際、ストレスを感じることがあった。
【０００５】
本発明は、上記問題点を解消するためになされたものであり、即座に視聴したい番組を探すことができる放送受信システム、放送受信装置及び表示装置並びに放送受信方法を提供することを目的とする。
【０００６】
本発明の更に他の目的、本発明によって得られる具体的な利点は、以下に説明される実施の形態の説明から一層明らかにされる。
【課題を解決するための手段】
【０００７】
上述した課題を解決するために、本発明は、放送信号を受信する放送受信装置と上記放送信号に応じた映像を表示する表示装置とが伝送路を介して接続される放送受信システムにおいて、上記放送受信装置は、受信した放送信号から上記表示装置により指示されたチャンネルを選択する第１の選局手段と、受信した放送信号から複数のチャンネルを順次繰り返しながら選択する第２の選局手段と、上記第２の選局手段により選択された各チャンネルの映像情報からチャンネル毎に区分された一覧画像の画像情報の生成及び更新を行う一覧画像生成手段と、上記伝送路を介して上記第１の選局手段により選択されたチャンネルの映像情報及び／又は上記一覧画像生成手段により生成された一覧画像の画像情報を上記表示装置に送信するとともに、上記表示装置と通信する通信手段とを備え、上記表示装置は、上記伝送路を介して上記映像情報や画像情報を上記放送受信装置から受信するとともに、上記放送受信装置と通信する通信手段と、上記通信手段により受信した上記第１の選局手段により選択されたチャンネルの映像情報に応じた映像を表示する表示手段と、上記チャンネルの切り替え指示を入力する入力手段とを備え、上記表示手段は、上記チャンネルの切り替え時には、上記通信手段により受信した上記一覧画像生成手段により生成された画像情報に応じたチャンネル毎に区分された一覧画像を表示し、上記入力手段により上記一覧画像から選択されたチャンネルへの切り替えを指示する情報を上記伝送路を介して上記放送受信装置に送信し、上記第１の選局手段により受信するチャンネルの切り替えを行うことを特徴とする。
【０００８】
また、本発明は、放送信号を受信する放送受信装置と上記放送信号に応じた映像を表示する表示装置とが伝送路を介して接続される放送受信システムにおいて、上記放送受信装置は、受信した放送信号から上記表示装置により指示されたチャンネルを選択する第１の選局手段と、受信した放送信号から複数のチャンネルを順次繰り返しながら選択する第２の選局手段と、上記伝送路を介して上記第１の選局手段により選択されたチャンネルの映像情報及び／又は上記第２の選局手段により選択されたチャンネルの映像情報を上記表示装置に送信するとともに、上記表示装置と通信する通信手段とを備え、上記表示装置は、上記伝送路を介して上記映像情報を上記放送受信装置から受信するとともに、上記放送受信装置と通信する通信手段と、上記通信手段により受信した上記第１の選局手段により選択されたチャンネルの映像情報に応じた映像を表示する表示手段と、上記通信手段により受信した上記第２の選局手段により選択された各チャンネルの映像情報からチャンネル毎に区分された一覧画像の画像情報の生成及び更新を行う一覧画像生成手段と、上記チャンネルの切り替え指示を入力する入力手段とを備え、上記表示手段は、上記チャンネルの切り替え時には、上記通信手段により受信した上記一覧画像生成手段により生成された画像情報に応じたチャンネル毎に区分された一覧画像を表示し、上記入力手段により上記一覧画像から選択されたチャンネルへの切り替えを指示する情報を上記伝送路を介して上記放送受信装置に送信し、上記第１の選局手段により受信するチャンネルの切り替えを行うことを特徴とする。
【０００９】
また、本発明は、放送信号に応じた映像を表示する表示装置と伝送路を介して接続され、上記放送信号を受信する放送受信装置において、受信した放送信号から上記表示装置により指示されたチャンネルを選択する第１の選局手段と、受信した放送信号から複数のチャンネルを順次繰り返しながら選択する第２の選局手段と、上記第２の選局手段により選択された各チャンネルの映像情報からチャンネル毎に区分された一覧画像の画像情報の生成及び更新を行う一覧画像生成手段と、上記伝送路を介して上記第１の選局手段により選択されたチャンネルの映像情報及び／又は上記一覧画像生成手段により生成された一覧画像の画像情報を上記表示装置に送信するとともに、上記表示装置と通信する通信手段とを備えることを特徴とする。
【００１０】
また、本発明は、放送信号に応じた映像を表示する表示装置と伝送路を介して接続され、上記放送信号を受信する放送受信装置において、受信した放送信号から上記表示装置により指示されたチャンネルを選択する第１の選局手段と、受信した放送信号から複数のチャンネルを順次繰り返しながら選択する第２の選局手段と、上記伝送路を介して上記第１の選局手段により選択されたチャンネルの映像情報及び／又は上記第２の選局手段により選択されたチャンネルの映像情報を上記表示装置に送信するとともに、上記表示装置と通信する通信手段とを備えることを特徴とする。
【００１１】
また、本発明は、指示されたチャンネルの映像情報を第１の選局手段により受信した放送信号から選択するとともに、第２の選局手段により受信した放送信号から複数のチャンネルを順次繰り返しながら選択して、各チャンネルの映像情報からチャンネル毎に区分された一覧画像の画像情報を生成し、上記第１の選局手段により選択されたチャンネルの映像情報及び／又は上記第２の選局手段により選択された各チャンネルの映像情報から生成した一覧画像の画像情報を伝送路を介して送信する放送受信装置と上記伝送路を介して接続され、上記放送信号に応じた映像を表示する表示装置であって、上記伝送路を介して上記映像情報と画像情報を上記放送受信装置から受信するとともに、上記放送受信装置と通信する通信手段と、上記通信手段により受信した上記第１の選局手段により選択されたチャンネルの映像情報に応じた映像を表示する表示手段と、上記チャンネルの切り替え指示を入力する入力手段とを備え、上記表示手段は、上記チャンネルの切り替え時には、上記通信手段により受信した上記一覧画像生成手段により生成された画像情報に応じたチャンネル毎に区分された一覧画像を表示し、上記入力手段により上記一覧画像から選択されたチャンネルへの切り替えを指示する情報を上記伝送路を介して上記放送受信装置に送信することを特徴とする。
【００１２】
また、本発明は、受信した放送信号から指示されたチャンネルを第１の選局手段により選択し、受信した放送信号から第２の選局手段により複数のチャンネルを順次繰り返しながら選択し、上記第１の選局手段により選択されたチャンネルの映像情報及び／又は上記第２の選局手段により選択されたチャンネルの映像情報を伝送路を介して送信する放送受信装置と上記伝送路を介して接続され、上記放送信号に応じた映像を表示する表示装置であって、上記伝送路を介して上記映像情報を上記放送受信装置から受信するとともに、上記放送受信装置と通信する通信手段と、上記通信手段により受信した上記第１の選局手段により選択されたチャンネルの映像情報に応じた映像を表示する表示手段と、上記通信手段により受信した上記第２の選局手段により選択された各チャンネルの映像情報からチャンネル毎に区分された一覧画像の画像情報の生成及び更新を行う一覧画像生成手段と、上記チャンネルの切り替え指示を入力する入力手段とを備え、上記表示手段は、上記チャンネルの切り替え時には、上記通信手段により受信した上記一覧画像生成手段により生成された画像情報に応じたチャンネル毎に区分された一覧画像を表示し、上記入力手段により上記一覧画像から選択されたチャンネルへの切り替えを指示する情報を上記伝送路を介して上記放送受信装置に送信することを特徴とする。
【００１３】
また、本発明は、放送信号を受信する放送受信装置と上記放送信号に応じた映像を表示する表示装置とが伝送路を介して接続される放送受信システムにおける放送受信方法であって、上記放送受信装置は、上記表示装置と通信して指示されたチャンネルの映像情報を第１の選局手段により受信した放送信号から選択するとともに、第２の選局手段により受信した放送信号から複数のチャンネルを順次繰り返しながら選択して、各チャンネルの映像情報からチャンネル毎に区分された一覧画像を生成し、上記第１の選局手段により選択されたチャンネルの映像情報及び／又は上記第２の選局手段により選択された各チャンネルの映像情報から生成した一覧画像の画像情報を上記伝送路を介して上記表示装置に送信し、上記表示装置は、上記放送受信装置と通信して指示したチャンネルの映像情報を上記伝送路を介して受信し、受信したチャンネルの映像情報に応じた映像を表示手段により表示し、上記チャンネルの切り替え指示が入力された場合に、上記伝送路を介して受信した上記各チャンネルの映像情報から生成した画像情報に応じたチャンネル毎に区分された一覧画像を上記表示手段により表示し、上記入力手段により上記一覧画像から選択されたチャンネルへの切り替えを指示する情報を上記伝送路を介して上記放送受信装置に送信し、上記第１の選局手段により受信するチャンネルの切り替えを行うことを特徴とする。
【００１４】
さらに、本発明は、放送信号を受信する放送受信装置と上記放送信号に応じた映像を表示する表示装置とが伝送路を介して接続される放送受信システムにおける放送受信方法であって、上記放送受信装置は、受信した放送信号から上記表示装置と通信して指示されたチャンネルを第１の選局手段により選択し、受信した放送信号から第２の選局手段により複数のチャンネルを順次繰り返しながら選択し、上記第１の選局手段により選択されたチャンネルの映像情報及び／又は上記第２の選局手段により選択されたチャンネルの映像情報を上記伝送路を介して上記表示装置に送信し、上記表示装置は、上記伝送路を介して上記放送受信装置と通信するとともに上記映像情報を上記放送受信装置から受信し、受信した上記第１の選局手段により選択されたチャンネルの映像情報に応じた映像を表示手段により表示するとともに、受信した上記第２の選局手段により選択された各チャンネルの映像情報からチャンネル毎に区分された一覧画像の画像情報の生成及び更新を行い、上記チャンネルの切り替え指示が入力された場合、上記各チャンネルの映像情報から生成した画像情報に応じたチャンネル毎に区分された一覧画像を上記表示手段により表示し、上記入力手段により上記一覧画像から選択されたチャンネルへの切り替えを指示する情報を上記伝送路を介して上記放送受信装置に送信し、上記第１の選局手段により受信するチャンネルの切り替えを行うことを特徴とする。
【発明の効果】
【００１５】
本発明によれば、所望のチャンネルを選択する際、表示手段にチャンネル毎に区分された一覧画像を表示するようにしたため、ユーザは即座に視聴したい番組を探すことができる。
【発明を実施するための最良の形態】
【００１６】
以下、本発明の具体的な実施の形態について、図面を参照しながら詳細に説明する。
【００１７】
本発明は、例えば図１に示すような構成の放送受信システム１に適用される。
【００１８】
この放送受信システム１は、放送信号を受信する放送受信装置２と、放送受信装置２により選択されたチャンネルの映像を表示する表示装置３とを備え、放送受信装置２と表示装置３とが赤外線や電波等を使用した無線又は例えばインターネットなど有線により接続されたものである。
【００１９】
この放送受信システム１において、表示装置３は、ユーザによって操作され、視聴したいチャンネルの映像情報を放送受信装置２に要求する。放送受信装置２は、表示装置３の要求に応じたチャンネルの映像情報を受信した放送信号から形成し、これを表示装置３に送信する。表示装置３は、放送受信装置２から送信された映像情報を受信し、この映像情報に応じた映像を表示画面に表示する。
【００２０】
このような放送受信システム１では、例えば、放送受信装置２を自宅に設置し、ＴＣＰ（Transmission Control Protocol）／ＩＰ（Internet Protocol）と呼ばれるネットワークプロトコルを用いて表示装置３とインターネット経由で通信するようにすれば、外出先でも自宅で受信された放送番組を視聴することができる。なお、以下、ＴＣＰ／ＩＰを用いた放送受信システムについて説明するが、これに限られるものではない。
【００２１】
この放送受信システム１において、放送受信装置２は、例えば図２のブロック図に示すように、受信した放送信号から表示装置３により要求されたチャンネルを選択する第１のチューナ部２１Ａと、このチューナ部２１Ａで選択されたチャンネルの放送信号を復調し映像情報を出力する第１の復調部２２Ａと、この第１の復調部２２Ａから出力された映像情報の圧縮を行う第１のコーデック部２３Ａと、受信した放送信号から複数のチャンネルを所定間隔で順次選択しながら繰り返す第２のチューナ部２１Ｂと、この第２のチューナ部２２Ｂで選択されたチャンネルの放送信号を復調し映像情報を出力する第２の復調部２２Ｂと、この第２の復調部２２Ｂから出力された映像情報の圧縮を行う第２のコーデック部２３Ｂと、チャンネル毎に区分された一覧画像の画像情報の生成及び更新を行う一覧画像生成部２４と、メモリ部２５と、表示装置３と通信を行う通信部２６と、表示装置３と無線により通信を行うＲＦ（Radio Frequency）ユニット２７と、各部を統括的に制御するＣＰＵ（Central Processing Unit）２８とを備えて構成されている。
【００２２】
第１のチューナ部２１Ａは、アンテナにより受信した放送信号を適切なレベルまで増幅し、放送信号からユーザにより表示装置３を介して指定されたチャンネルを選択する。第１の復調部２２Ａは、上記第１のチューナ部２１Ａで選択されたチャンネルの放送信号を復調し映像情報を出力する。第１のコーデック部２３Ａは、上記第１の復調部２２Ａから出力される映像情報を例えばＭＰＥＧ（Moving Picture Experts Group方式により圧縮する。
【００２３】
また、第２のチューナ部２１Ｂは、受信した放送信号から複数のチャンネルを順次切り替える。第２の復調部２２Ｂは、上記第２のチューナ部２１Ｂで順次切り替えられる各チャンネルの放送信号を復調し映像情報を順次出力する。第２のコーデック２３Ｂは、上記第２のコーデック部２３Ｂから順次出力されるチャンネル毎の映像情報からチャンネル毎の画像情報を生成し、例えばＪＰＥＧ（Joint Photographic Experts Group）方式により圧縮する。
【００２４】
一覧画像生成部２４は、上記第２のコーデック部２３Ｂから出力されたＪＰＥＧ方式により圧縮されたチャンネル毎の映像情報を表示装置３の表示部３６に並べて表示するための一覧画像情報(タイリング画像情報)をチャンネル毎の画像を最新のものに置き換えることにより更新しながら生成する。さらに、上記一覧画像生成部２４は、各画像情報に関連する、例えば、チャンネル番号、放送局名、番組情報などの画像関連情報からなる一覧画像関連情報を作成する。
【００２５】
メモリ部２５は、例えばＥＥＰＲＯＭ（Electrically Erasable Programmable Read-Only Memory）等の不揮発性メモリからなり、例えば、一覧画像生成部２４により生成された一覧画像情報及び一覧画像関連情報を記憶する。
【００２６】
通信部２６は、例えばＴＣＰ／ＩＰに準拠したデータを形成し、第１のコーデック部２３Ａにより圧縮されたＭＰＥＧ方式の映像情報のデータや第２のコーデック２３Ｂにより圧縮されたＪＰＥＧ方式の一覧画像情報及び一覧画像関連情報のデータをメモリ部２５から読み出して表示装置３に送信する。また、ＲＦユニット２７は、ＭＰＥＧ方式の映像情報のデータやＪＰＥＧ方式の一覧画像情報及び一覧画像関連情報のデータをメモリ部２５から読み出して無線により送信する。また、通信部２６又はＲＦユニット２７は表示装置３からのチャンネル切り替え指示等を受信する。
【００２７】
ＣＰＵ２８は、通信部２６又はＲＦユニット２７を介して得た表示装置３からの指示に応じて各部を制御する。例えばチャンネル切り替え指示であるときには、その指示にしたがって第１のチューナ部２２Ａに指示されたチャンネルを選択させる。
【００２８】
また、この放送受信システム１において、表示装置３は、図３のブロック図に示すように、上記放送受信装置２と通信を行う通信部３１と、上記放送受信装置２と無線により通信を行うＲＦユニット３２と、上記放送受信装置２から受信した映像情報の伸張を行う第１のコーデック部３３Ａと、上記放送受信装置２から受信した一覧画像情報の伸張を行う第２のコーデック部３３Ｂと、メモリ部３４と、映像情報出力部３５と、表示部３６と、選局操作等を行う操作部３７と、選局ボタン枠表示処理部３８と、各部を統括的に制御するＣＰＵ３９とを備えて構成されている。
【００２９】
通信部３１は、例えば放送受信装置から送信されたＴＣＰ／ＩＰに準拠したデータを受信する。ＲＦユニット３２は、このデータを無線により受信する。また、通信部３１及びＲＦユニット３２は、例えば、上記操作部３７の操作等によってユーザから受けたチャンネル切り替え指示を放送受信装置２に送信する。
【００３０】
第１のコーデック３３Ａは、上記通信部３１により受信されたＭＰＥＧ方式の映像情報のデータを伸張する。また、第２のコーデック３３Ｂは、上記通信部３１により受信されたＪＰＥＧ方式の一覧画像情報のデータを伸張する。
【００３１】
メモリ部３４は、例えばＥＥＰＲＯＭ等の不揮発性メモリからなり、上記第２のコーデック３３Ｂにより伸張された一覧画像情報及び一覧画像関連情報等のデータを一時的に記憶する。
【００３２】
映像情報出力部３５は、上記第１のコーデック３３Ａにより伸張された映像情報や一覧画像情報を表示部３６に表示するための映像信号に変換して上記表示部３６に出力する。
【００３３】
表示部３６は、例えばＬＣＤ（Liquid Crystal Display）等であり、画像情報出力部３５からの映像信号を表示する。
【００３４】
操作部３７は、チャンネル切り替え指示などを行うためのもの入力手段として機能する。
【００３５】
選局ボタン枠表示処理部３８は、上記表示部３６に表示された一覧画像の各チャンネルの表示領域に対応する選局ボタン枠４１の表示情報を生成して上記映像情報出力部３５に出力することにより、上記表示部３６に表示された一覧画像上に選局ボタン枠４１を表示させる。そして、ユーザは、上記操作部３７の操作により選局ボタン枠４１を移動させてチャンネル選択を行うことができる。
【００３６】
ここで、上記選局ボタン枠表示処理部３８は、上記選局ボタン枠４１とともに、対応するチャンネル番号を表示するようにすることもできる。さらに、上記操作部３７の操作により、上記選局ボタン枠４１の位置している表示領域の表示内容に対応する放送局名、番組情報などの画像関連情報を表示させるようにすることもできる。
【００３７】
ＣＰＵ３９は、各部を統括的に制御し、例えば、通信部３１又はＲＦユニット３２を介して放送受信装置２にチャンネル切り替え指示を送信する。
【００３８】
この実施の形態では、放送信号を受信する放送受信装置２と上記放送信号に応じた映像を表示する表示装置３とが伝送路を介して接続される放送受信システム１において、上記放送受信装置２は、上記表示装置３と通信して指示されたチャンネルの放送信号を第１のチューナ部２１Ａにより受信した放送信号から選択するとともに、第２のチューナ部２１Ｂにより受信した放送信号から複数のチャンネルを順次繰り返しながら選択して、一覧画像生成部２４により各チャンネルの映像情報からチャンネル毎に区分された一覧画像を生成し、上記第１のチューナ部２１Ａにより選択されたチャンネルの映像情報及び／又は上記第２のチューナ部２１Ｂにより選択された各チャンネルの映像情報から生成した一覧画像の映像情報を上記伝送路を介して上記表示装置３に送信する。
【００３９】
そして、上記表示装置３は、上記放送受信装置２と通信して指示したチャンネルの映像情報を上記伝送路を介して受信し、受信したチャンネルの映像情報に応じた映像を表示部３６により表示し、上記チャンネルの切り替え指示が入力された場合に、上記伝送路を介して受信した上記各チャンネルの映像情報から生成した映像情報に応じたチャンネル毎に区分された一覧画像を上記表示部３６により表示して、上記第１のチューナ部２１Ａにより受信するチャンネルの切り替えを行う。
【００４０】
本実施の形態における放送受信装置２の動作を図４〜図６に示すフローチャートを用いて説明する。
【００４１】
図４は、チャンネルの切り替え動作を示すフローチャートである。
【００４２】
放送受信装置２のＣＰＵ２８は、常に表示装置３からのチャンネル切り替え要求を待機している（ステップＳ１１）。
【００４３】
上記ＣＰＵ２８は、ステップＳ１１において、通信部２６又はＲＦユニットを介して表示装置３からチャンネル切り替え要求を受信した場合、ステップＳ１２に進み、第１のチューナ部２１Ａに要求されたチャンネルへの切り替えを指示する。これにより、第１のチューナ部２１Ａは、要求されたチャンネルを選択する。そして、ステップＳ１１に戻り、次のチャンネル切り替え要求を待つ。
【００４４】
このように、第１のチューナ部２１Ａは、チャンネルの切り替え要求に応じて、選択するチャンネルを変更する。この選択されたチャンネルの放送信号は、第１の復調部２２Ａで復調され、第１のコーデック部２３Ａで例えばＭＰＥＧ方式のデータに圧縮され、通信部２６又はＲＦユニット２７を介して表示装置３に送信される。
【００４５】
図５は、第２のチューナ部２１Ｂにより選択されるチャンネルの映像情報の処理を示すフローチャートである。
【００４６】
第２のチューナ部２１Ｂは、所定時間毎に順次チャンネルを切り替えている（ステップＳ２１）。ここで、第２のチューナ部２１Ｂにより切り替えられるチャンネルは、第１のチューナ部２１Ａで選択されているチャンネル以外のものであることが好ましい。
【００４７】
ステップＳ２２では、ステップＳ２１において第２のチューナ部２１Ｂにより切り替えられたチャンネルの放送信号から画像情報を生成し、その画像情報とともにこの画像情報に関連する関連情報をメモリ部２５に格納する。すなわち、第２のチューナ部２１Ｂにより選択された放送信号は、第２の復調部２２Ｂで復調され、第２のコーデック部２３Ｂで例えばＪＰＥＧ方式のデータに圧縮され、このＪＰＥＧ方式の画像情報を関連情報とともにメモリ部２５に格納される。関連情報には、例えばチャンネル、時間等の情報が含まれている。
【００４８】
ステップＳ２３では、ステップＳ２２においてメモリ部２５に記憶された画像情報がタイリング画像用の情報として使用可能か否かを判別する。この判別は、例えば映像の乱れを検出することにより行うことができる。なお、タイリング画像は、各チャンネルの画像が並べられた一覧画像である。ステップＳ２３において、生成した画像情報がタイリング画像用の情報として使用可能であると判別した場合、ステップＳ２４に進む。また、画像情報がタイリング画像用の情報として使用可能でないと判別した場合、ステップＳ２１に戻る。
【００４９】
ステップＳ２４では、一覧画像生成部２４は、ステップＳ２３にてタイリング画像用の情報として使用可能であると判別された画像情報を間引いて関連情報に基づいてタイリング画像内の所定位置の画像と置き換えることにより更新し、タイリング画像を作成する。更新、作成されたタイリング画像は、各チャンネルの関連情報とともにメモリ部２５に記憶され、ステップＳ２１に戻って上述した処理を繰り返し行う。このように、第２のチューナ部２１Ｂで選択されるチャンネルは順次切り替えられ、一覧画像生成部２４によりタイリング画像内の各チャンネルの画像は常に更新されている。
【００５０】
なお、上述したステップＳ２２及びステップＳ２３では、第２のチューナ部２１Ｂにより選択されたチャンネルの画像を複数枚生成し、その中からタイリング画像用のものとして可能なものを判別するようにしてもよい。
【００５１】
次に、上述した処理により作成されたタイリング画像を表示装置３に送信する動作について、図６に示すフローチャートを用いて説明する。放送受信装置２のＣＰＵ２８は、常に表示装置３からのタイリング画像要求を待っている（ステップＳ３１）。
【００５２】
ステップＳ３１において、表示装置３からタイリング画像の要求を受信した場合、ＣＰＵ２８は、メモリ部２５から、タイリング画像とその関連情報を取得する（ステップＳ３２）。そして、タイリング画像を第２のコーデック部２３Ｂで例えばＪＰＥＧ方式により圧縮し（ステップＳ３３）、タイリング画像と関連情報とを通信部２６又はＲＦユニット２７を介して表示装置に送信する（ステップＳ３４）。
【００５３】
このように本実施の形態における放送受信装置２は、表示装置３から送信されたチャンネル切り替え要求に応じて第１のチューナ部２１Ａで選択されるチャンネルを切り替えるとともに、表示装置３から送信されたタイリング画像要求に応じて第２のチューナ部２１Ｂで選択された各チャンネルの画像が並べられたタイリング画像のデータを表示装置３に送信する。
【００５４】
次に、表示装置３におけるチャンネル選択動作を、図７及び図８を参照して説明する。図７はチャンネル選択動作を示すフローチャートであり、図８はチャンネル選択動作の際に表示される画面例を示すものである。
【００５５】
ユーザが操作部３７のチャンネル選択ボタンを押すことにより、ＣＰＵ３９はタイリング画像・関連情報要求を通信部３１又はＲＦユニット３２を介して放送受信装置２に送信する（ステップＳ４１）。この際、表示部３６の画面には、図８（ａ）に示すように、例えば８ｃｈの映像がすべての画面領域を用いて表示されている。なお、この図８では、チャンネル番号のみを表示することとし、映像や画像は図示していない。
【００５６】
ステップＳ４２では、ステップＳ４１にて要求したタイリング画像及び関連情報のデータを通信部３１又はＲＦユニット３２により受信する。ＣＰＵ３９は、受信したタイリング画像及び関連情報のデータに基づいて、表示部３６の画面に、第１のチューナ部２１Ａにて選択されたチャンネルの映像と、第２のチューナ２１Ｂにて選択された各チャンネルの放送信号から上記一覧画像生成部２４より作成されたタイリング画像とを表示する（ステップＳ４３）。この表示は、例えば、図８（ｂ）に示すように、これまで視聴していた８ｃｈの映像領域を４分の１とし、残りの４分の３の領域にタイリング画像を配置している。
【００５７】
ここで、ユーザは、上記表示装置３によるタイリング画像の表示画面上で、上記操作部３７の操作により、選局ボタン枠４１を移動させてチャンネル選択を行うことができる。例えば、図８（ｃ）に示すように、切り替えるチャンネルの画像をタイリング画像の表示画面上で選択させることより、ユーザは表示言語に依存することなく、画面のイメージに基づいてチャンネルを選択することができる。
【００５８】
ここで、ユーザは、例えば図８の（ｂ）に示すように、上記表示装置３によるタイリング画像の表示画面４０上に表示される選局ボタン枠４１を、例えば図８（ｃ）に示すように、上記操作部３７の操作により移動させてチャンネル選択を行うことができる。このように、切り替えるチャンネルの画像をタイリング画像の表示画面上で選択させることより、ユーザは表示言語に依存することなく、画面のイメージに基づいてチャンネルを選択することができる。さらに、上記操作部３３８の操作により、上記選局ボタン枠４１の位置している表示領域の表示内容に対応する放送局名、番組情報などの画像関連情報を表示させるようにすることもできる。
【００５９】
ステップＳ４４において、ＣＰＵ３９は、ユーザからのチャンネル選択の入力を検出する。ユーザからチャンネル選択の入力があった場合、選択されたチャンネルをタイリング画像とともに送信された関連情報に基づいて決定し、このチャンネルへの切り替え要求を放送受信装置２に送信する（ステップＳ４５）。
【００６０】
チャンネル切り替え要求に応じて、放送受信装置２は、第１のチューナ部２１Ａによりチャンネルを切り替え、そのチャンネルの映像情報を表示装置３に送信する。例えば、図８（ｃ）に示すタイリング画像のチャンネル一覧画面から３ｃｈが選択された場合、図８（ｄ）に示すように３ｃｈの映像をすべての画面領域に表示することができる。
【００６１】
このように、表示装置３は、チャンネルを選択する際、放送受信装置２により受信される全てのチャンネルの内容を一覧表示するため、内容を確認しながらチャンネルを選択することができる。これは、上述したような通信回線等により映像の遅延が生じる放送受信システムにおいて特に有効である。
【００６２】
ここで、上記実施の形態では、放送受信装置２によりタイリング画像を作成することとしたが、これに限られるものではなく、表示装置３によりタイリング画像を作成することとしてもよい。
【００６３】
すなわち、本発明は、例えば図９に示すように、放送信号を受信する放送受信装置２００と上記放送信号に応じた映像を表示する表示装置３００とが赤外線や電波等を使用した無線又は例えばインターネットなど有線により接続される放送受信システム１００に適用することができる。
【００６４】
この放送受信システム１００において、放送受信装置２００は、図１０に示すように、アンテナにより受信した放送信号を適切なレベルまで増幅し、放送信号からユーザにより表示装置３００を介して指定されたチャンネルを選択する第１のチューナ部２２１Ａと、上記第１のチューナ部２２１Ａで選択されたチャンネルの放送信号を復調し映像情報を出力する第１の復調部２２２Ａと、上記第１の復調部２２２Ａから出力される映像情報を例えばＭＰＥＧ（Moving Picture Experts Group方式により圧縮する第１のコーデック部２２３Ａと、受信した放送信号から複数のチャンネルを所定間隔で順次選択しながら繰り返す第２のチューナ部２２１Ｂと、上記第２のチューナ部２２１Ｂで選択されたチャンネルの放送信号を復調し映像情報を出力する第２の復調部２２２Ｂと、上記第２の復調部２２２Ｂから順次出力されるチャンネル毎の映像情報からチャンネル毎の画像情報を生成し、例えばＪＰＥＧ（Joint Photographic Experts Group）方式により圧縮する第２のコーデック部２２３Ｂと、例えばＥＥＰＲＯＭ（Electrically Erasable Programmable Read-Only Memory）等の不揮発性メモリからなり、例えば、上記第２のコーデック２２３Ｂにより圧縮されたＪＰＥＧ方式のデータ等を記憶するメモリ部２２５と、上記表示装置３００と通信を行う通信部２２６と、上記表示装置３００と無線により通信を行うＲＦ（Radio Frequency）ユニット２２７と、各部を統括的に制御するＣＰＵ（Central Processing Unit）２２８とを備えて構成されている。
【００６５】
ここで、上記第２のチューナ部２２１Ｂは、所定時間毎に順次チャンネルを切り替えており、この第２のチューナ部２２１Ｂにより切り替えられるチャンネルは、第１のチューナ部２２１Ａで選択されているチャンネル以外のものであることが好ましい。
【００６６】
そして、上記第２のチューナ部２２１Ｂにより切り替えられたチャンネルの放送信号から画像情報を生成し、その画像情報とともにこの画像情報に関連する関連情報をメモリ部２２５に格納する。すなわち、第２のチューナ部２２１Ｂにより選択された放送信号は、第２の復調部２２２Ｂで復調され、第２のコーデック部２２３Ｂで例えばＪＰＥＧ方式のデータに圧縮され、このＪＰＥＧ方式の画像情報を関連情報とともにメモリ部２２５に格納される。関連情報には、例えばチャンネル、時間等の情報が含まれている。
【００６７】
そして、上記ＣＰＵ２２８は、上記メモリ部２２５からＪＰＥＧ方式の画像情報を関連情報とともに読み出して通信部２２６又はＲＦユニット２２７を介して表示装置３００に送信する。上記ＣＰＵ２２８は、通信部２２６又はＲＦユニット２２７を介して得た表示装置３００からの指示に応じて各部を制御する。例えばチャンネル切り替え指示であるときには、その指示にしたがって第１のチューナ部２２１Ａに指示されたチャンネルを選択させる。
【００６８】
上記通信部２２６は、例えばＴＣＰ／ＩＰに準拠したデータを形成し、第１のコーデック部２２３Ａにより圧縮されたＭＰＥＧ方式の映像情報のデータや第２のコーデック２２３Ｂにより圧縮されたＪＰＥＧ方式の画像情報のデータをメモリ部２２５から読み出して表示装置３００に送信する。また、ＲＦユニット２２７は、ＭＰＥＧ方式の映像情報のデータやＪＰＥＧ方式の画像情報のデータをメモリ部２２５から読み出して無線により送信する。また、通信部２２６又はＲＦユニット２２７は表示装置３００からのチャンネル切り替え指示等を受信する。
【００６９】
また、この放送受信システム１００において、表示装置３００は、図１１に示すように、上記放送受信装置２００と通信を行う通信部３３１と、上記放送受信装置２００と無線により通信を行うＲＦユニット３３２と、上記通信部３３１又はＲＦユニット３３２により上記放送受信装置２００から受信したＭＰＥＧ方式の映像情報のデータを伸張する第１のコーデック部３３３Ａと、上記通信部３３１又はＲＦユニット３３２により上記放送受信装置２００から受信した各チャンネル毎のＪＰＥＧ方式の画像情報のデータを伸張する第２のコーデック部３３３Ｂと、例えばＥＥＰＲＯＭ等の不揮発性メモリからなり、上記第２のコーデック部３３３Ｂにより伸張された画像情報のデータを一時的に記憶するメモリ部３３４と、チャンネル毎に区分された一覧画像の画像情報の生成及び更新を行う一覧画像生成部３３５と、映像情報出力部３３６と、例えばＬＣＤ（Liquid Crystal Display）等からなり、上記映像情報出力部３３６からの映像信号を表示する表示部３３７と、選局操作等を行う操作部３３８と、選局ボタン枠表示処理部３３９と、各部を統括的に制御するＣＰＵ３４０とを備えて構成されている。
【００７０】
ここで、通信部３３１は、例えば放送受信装置２００から送信されたＴＣＰ／ＩＰに準拠したデータを受信する。ＲＦユニット３３２は、このデータを無線により受信する。また、通信部３３１及びＲＦユニット３３２は、例えば、上記操作部３３８の操作等によってユーザから受けたチャンネル切り替え指示を放送受信装置２００に送信する。
【００７１】
この表示装置３００では、通信部３３１又はＲＦユニット３３２を介して上記放送受信装置２００と通信するとともに、上記通信部３３１又はＲＦユニット３３２により上記ＭＰＥＧ方式の映像情報を上記放送受信装置３００から受信し、受信したＭＰＥＧ方式の映像情報すなわち上記第１のチューナ部２２１Ａにより選択されたチャンネルの映像情報のデータを第１のコーデック部３３３Ａにより伸張し、伸張した映像情報に応じた映像を表示部３３７により表示する。
【００７２】
また、上記通信部３３１又はＲＦユニット３３２により上記ＪＰＥＧ方式の画像情報を上記放送受信装置３００から受信し、受信したＪＰＥＧ方式の画像情報すなわち上記第２のチューナ部２２１Ｂにより順次選択された各チャンネル毎の画像情報のデータを第２のコーデック部３３３Ｂにより伸張し、伸張した各チャンネル毎の画像情報のデータを上記メモリ部３３４に一時的に記憶する。
【００７３】
そして、一覧画像生成部３３５は、上記メモリ部３３４に記憶されたチャンネル毎の画像情報について、タイリング画像用の情報として使用可能であるか否かを判別し、タイリング画像用の情報として使用可能であると判別された画像情報を間引いて関連情報に基づいてタイリング画像内の所定位置の画像と置き換えることにより更新し、タイリング画像を作成する。更新、作成されたタイリング画像は、各チャンネルの関連情報とともにメモリ部３３４に記憶され、順次更新される。
【００７４】
上記映像情報出力部３３６は、上記第１のコーデック部３３３Ａにより伸張された映像情報や一覧画像生成部３３５により生成された一覧画像の画像情報を表示部３３７に表示するための映像信号に変換して上記表示部３３７に出力する。
【００７５】
また、操作部３３８は、チャンネル切り替え指示などを行うためのもの入力手段として機能する。
【００７６】
選局ボタン枠表示処理部３３９は、上記表示部３３７に表示された一覧画像の各チャンネルの表示領域に対応する選局ボタン枠４１の表示情報を生成して上記映像情報出力部３３６に出力することにより、上記表示部３３７に表示された一覧画像上に選局ボタン枠４１を表示させる。そして、ユーザは、上記操作部３３８の操作により選局ボタン枠４１を移動させてチャンネル選択を行うことができる。
【００７７】
ここで、上記選局ボタン枠表示処理部３３９は、上記選局ボタン枠４１とともに、対応するチャンネル番号を表示するようにすることもできる。さらに、上記操作部３３８の操作により、上記選局ボタン枠４１の位置している表示領域の表示内容に対応する放送局名、番組情報などの画像関連情報を表示させるようにすることもできる。
【００７８】
ＣＰＵ３４０は、各部を統括的に制御し、例えば、通信部３３１又はＲＦユニット３３２を介して放送受信装置２００にチャンネル切り替え指示を送信する。
【００７９】
この実施の形態では、放送信号を受信する放送受信装置２００と上記放送信号に応じた映像を表示する表示装置３００とが伝送路を介して接続される放送受信システム１００において、上記放送受信装置２００は、受信した放送信号から上記表示装置３００と通信して指示されたチャンネルを第１のチューナ部２２１Ａにより選択し、また、受信した放送信号から第２のチューナ部２２１Ｂにより複数のチャンネルを順次繰り返しながら選択し、上記第１のチューナ部２２１Ａにより選択されたチャンネルの映像情報及び／又は上記チューナ部２２１Ｂにより選択されたチャンネルの映像情報を通信部２２６又はＲＦユニット２２７を介して上記表示装置３００に送信する。
【００８０】
そして、上記表示装置３００は、通信部３３１又はＲＦユニット３３２を介して上記放送受信装置２００と通信するとともに上記映像情報を上記放送受信装置３００から受信し、受信した上記第１のチューナ部２２１Ａにより選択されたチャンネルの映像情報に応じた映像を表示部３３７により表示するとともに、受信した上記第２のチューナ部２２１Ｂにより選択された各チャンネルの映像情報からチャンネル毎に区分された一覧画像の画像情報の生成及び更新を行い、上記チャンネルの切り替え指示が入力された場合、上記各チャンネルの映像情報から生成した画像情報に応じたチャンネル毎に区分された一覧画像を上記表示部３３７により表示して、上記第１のチューナ部２２１Ａにより受信するチャンネルの切り替えを行う。
【００８１】
すなわち、この放送受信システム１００では、上記放送受信装置２００において、図１２のフローチャートに示すように、第２のチューナ部２２１Ｂで受信するチャンネルを所定時間毎に順次を切り替えており（ステップＳ５１）、このステップＳ５１において第２のチューナ部２２１Ｂにより切り替えられたチャンネルの放送信号から画像情報を生成し（ステップＳ５２）、その画像情報とともにこの画像情報に関連する関連情報をメモリ部２２５に格納する（ステップＳ５３）。すなわち、第２のチューナ部２２１Ｂにより選択された放送信号は、第２の復調部２２２Ｂで復調され、第２のコーデック部２２３ＢでＪＰＥＧ方式のデータに圧縮され、このＪＰＥＧ方式の画像情報がタイリング画像用の画像情報として関連情報とともにメモリ部２２５に格納される。関連情報には、例えばチャンネル、時間等の情報が含まれている。そして、上記メモリ部２２５に格納されたＪＰＥＧ方式の画像情報を関連情報とともに上記表示装置３００に通信部２２６又はＲＦユニット２２７を介して送信する（ステップＳ５４）。そして、上記ステップＳ５１に戻って次のチャンネルの放送信号から画像情報を生成し、上記ステップＳ５１〜ステップＳ５４の処理を繰り返し行うことにより、上記第２のチューナ部２２１Ｂにより切り替えられた各チャンネルの放送信号から生成されるチャンネル毎のタイリング画像用の画像情報を上記表示装置３００に上記通信部２２６又はＲＦユニット２２７を介して順次送信する。
【００８２】
また、上記表示装置３００では、図１３のフローチャートに示すように、上記放送受信装置２００から順次送信されてくるチャンネル毎のタイリング画像用のＪＰＥＧ方式の画像情報を通信部３３１又はＲＦユニット３３２を介して受信し（ステップＳ６１）、受信したＪＰＥＧ方式の画像情報を第２のコーデック部３３３Ｂにより復号し、復号した画像情報とともにこの画像情報に関連する関連情報をメモリ部３３４に格納する（ステップＳ６２）。
【００８３】
そして、一覧画像生成部３３５は、上記ステップＳ６２においてメモリ部３３４に記憶された画像情報がタイリング画像用の情報として使用可能か否かを判別する（ステップＳ６３）。このステップＳ６３において、上記メモリ部３３４に記憶された画像情報がタイリング画像用の情報として使用可能であると判別した場合、このタイリング画像用の情報として使用可能であると判別された画像情報を間引いて縮小画像情報とし、関連情報に基づいてメモリ部３３４上のタイリング画像内の所定位置の画像と置き換える（ステップＳ６４）。そして、ステップＳ６１に戻って上述した処理を繰り返し行うことにより、タイリング画像を作成し、更新する。このようにして、作成、更新されたタイリング画像は、各チャンネルの関連情報とともにメモリ部３３４に記憶される。また、上記メモリ部３３４に記憶され画像情報がタイリング画像用の情報のとして使用可能でないと判別した場合、ステップＳ６１に戻り、上記一覧画像生成部３３５は、次のチャンネルの画像データについて処理を行う。
【００８４】
ここで、上記第２のチューナ部２２１Ｂの受信チャンネルを所定時間毎に順次を切り替えて得られたチャンネル毎のタイリング画像用のＪＰＥＧ方式の画像情報が送信されてくるので、上記一覧画像生成部３３５により上記メモリ部３３４上のタイリング画像内の各チャンネルの画像は常に更新されている。
【００８５】
さらに、上記表示装置３００では、図１４のフローチャートに示すように、ＣＰＵ３４０は、ユーザにより例えば操作部３３８のチャンネル選択ボタンが操作されたか否かを判定しており（ステップＳ７１）、チャンネル選択ボタンが操作されると、上記メモリ部３３４からタイリング画像を読み出して、映像情報出力部３３６を介して、上記第１のチューナ部２１Ａにて選択されているチャンネルの映像とともにタイリング画像を表示部３３７の画面に表示させる（ステップＳ７２）。上記表示部３３７の画面には、例えば、上述の図８（ｂ）に示したように、これまで視聴していた８ｃｈの映像領域を４分の１とし、残りの４分の３の領域にタイリング画像が配置されている。
【００８６】
ユーザは、上記表示装置３００によるタイリング画像の表示画面上４０で、上記操作部３３８の操作により、選局ボタン枠４１を移動させてチャンネル選択を行うことができる。例えば、上述の図８（ｃ）に示したように、切り替えるチャンネルの画像をタイリング画像の表示画面４０上で選択させることより、ユーザは表示言語に依存することなく、画面のイメージに基づいてチャンネルを選択することができる。
【００８７】
そして、ＣＰＵ３４０は、ユーザが例えば上記操作部３３８を操作してチャンネル選択を行ったか否かを判定し（ステップＳ７３）、ユーザからチャンネル選択の入力があった場合、選択されたチャンネルをタイリング画像とともに送信された関連情報に基づいて決定し、このチャンネルへの切り替え要求を放送受信装置２００に送信する（ステップＳ７４）。
【００８８】
上記放送受信装置２００のＣＰＵ２２８は、常に表示装置３００からのチャンネル切り替え要求を待機しており、通信部２２６又はＲＦユニット２２７を介して表示装置３００からチャンネル切り替え要求を受信した場合、第１のチューナ部２２１Ａに要求されたチャンネルへの切り替えを指示する。これにより、第１のチューナ部２２１Ａは、要求されたチャンネルを選択する。このように、第１のチューナ部２２１Ａは、チャンネルの切り替え要求に応じて、選択するチャンネルを変更する。この選択されたチャンネルの放送信号は、第１の復調部２２２Ａで復調され、第１のコーデック部２２３Ａで例えばＭＰＥＧ方式のデータに圧縮され、通信部２２６又はＲＦユニット２２７を介して表示装置３００に送信される。
【００８９】
このように、表示装置３００によりタイリング画像を作成するようにした放送受信システム１００では、放送受信装置２００の第２のチューナ部２２１Ｂにより選択されたチャンネルの映像情報から作成された画像情報を表示装置３００に送信するようにすればよい。また、この際、タイリング画像用の画像情報として可能なものと判別された画像情報のみを表示装置３００に送信するようにしてもよい。このようにすることにより、表示装置３００は放送受信装置２００にタイリング画像を要求し、放送受信装置２００からタイリング画像のデータを受信する必要がないので、チャンネルを選択する際、表示装置３００のメモリ部３３４に記憶されたチャンネル一覧画面により、すぐに表示することができる。また、タイリング画面は、第２のチューナ部２２１Ｂによってチャンネルが選択される度に更新されるので、チャンネルを選択する際は常に新しい放送状態を確認することができる。
【００９０】
また、放送受信装置２００により受信されるチャンネルの一覧画面を表示するだけでなく、この放送受信装置２００に接続された外部機器のコンテンツ内容を表示するようにしてもよい。これにより、例えば、ＤＶＤレコーダで再生されたコンテンツを表示装置３００で楽しむことができる。
【図面の簡単な説明】
【００９１】
【図１】本発明の一実施形態における放送受信システムを示す概略図である。
【図２】この放送受信システムにおける放送受信装置の構成を示すブロック図である。
【図３】上記放送受信システムにおける表示装置の構成を示すブロック図である。
【図４】上記放送受信装置におけるチャンネル切り替え動作を示すフローチャートである。
【図５】上記放送受信装置におけるタイリング画像作成動作を示すフローチャートである。
【図６】上記放送受信装置におけるタイリング画像送信動作を示すフローチャートである。
【図７】上記表示装置におけるチャンネル選択動作を示すフローチャートである。
【図８】チャンネル選択時における表示例を示す図である。
【図９】本発明の他の実施形態における放送受信システムを示す概略図である。
【図１０】この放送受信システムにおける放送受信装置の構成を示すブロック図である。
【図１１】上記放送受信システムにおける表示装置の構成を示すブロック図である。
【図１２】上記放送受信装置においてタイリング画像の画像情報を作成して送信する処理を示すフローチャートである。
【図１３】上記表示装置において、タイリング画像を作成する処理を示すフローチャートである。
【図１４】表示装置におけるチャンネル選択動作を示すフローチャートである。
【符号の説明】
【００９２】
１、１００  放送受信システム、２、２００  放送受信装置、３、３００  表示装置、２１Ａ、２２１Ａ  第１のチューナ部、２２Ａ、２２２Ａ  第１の復調部、２３Ａ、３３Ａ、２２３Ａ、３３３Ａ  第１のコーデック部、２１Ｂ、２２１Ｂ  第２のチューナ部、２２Ｂ、２２２Ｂ  第２の復調部、２３Ｂ、３３Ｂ、２２３Ｂ、３３３Ｂ  第２のコーデック部、２４、３３５  一覧画像生成部、２５、３４、２２５、３３４  メモリ部、２６、３１、２２６、３３１  通信部、２７、３２、２２７、３３２  ＲＦユニット、２８、３９、２２８、３４０  ＣＰＵ、３５、３３６  映像情報出力部、３６、３３７  表示部、３７、３３８  操作部、３８、３３９  選局ボタン枠表示処理部
【図１】
2007028585.tif 000003
【図２】
2007028585.tif 000004
【図３】
2007028585.tif 000005
【図４】
2007028585.tif 000006
【図５】
2007028585.tif 000007
【図６】
2007028585.tif 000008
【図７】
2007028585.tif 000009
【図８】
2007028585.tif 000010
【図９】
2007028585.tif 000011
【図１０】
2007028585.tif 000012
【図１１】
2007028585.tif 000013
【図１２】
2007028585.tif 000014
【図１３】
2007028585.tif 000015
【図１４】
2007028585.tif 000016